(57)【要約】【課題】電子機器の使用において、複数のパスワードや、複雑なパスワードをユーザが管理することは煩雑であり、不便であることが問題になっていた。このため、ユーザが感じる煩雑さを低減しつつ、高いセキュリティ性を備えた電子機器の提供が望まれていた。【解決手段】実施形態の電子機器は、撮像部と、前記撮像部で撮像された映像の情報から、他の電子機器から出力されたコード表示を検出する検出部と、前記コード表示が検出された場合に、前記コード表示とは異なるコード表示の情報を生成し、出力する出力部と、を備える。【選択図】  図１
2014235716.tif 000002
【特許請求の範囲】
【請求項１】
撮像部と、
前記撮像部で撮像された映像の情報から、他の電子機器から出力されたコード表示を検出する検出部と、
前記コード表示が検出された場合に、前記コード表示とは異なるコード表示の情報を生成し、出力する出力部と、を備える電子機器。
【請求項２】
前記コード表示を用いたロック解除が設定されているかを検出し、前記ロック解除が設定されている場合に、前記コード表示の検出を行う請求項１に記載の電子機器。
【請求項３】
ロック解除のための入力を要求する入力要求部と、
前記ロック解除が設定されている場合に、前記撮像部を動作させる動作部と、を備える請求項２に記載の電子機器。
【請求項４】
前記生成されたコード表示の情報が前記他の電子機器に送信された場合に、前記生成されたコード表示の情報を記憶する記憶部と、を備える請求項１に記載の電子機器。
【請求項５】
前記コード表示が検出されない場合に、ユーザによるパスワード入力を要求するパスワード入力部と、を備える請求項１に記載の電子機器。
【請求項６】
ユーザによるパスワード入力のリトライができない場合に、ＮＧメッセージを出力するメッセージ出力部と、を備える請求項１に記載の電子機器。
【請求項７】
前記請求項１に記載の電子機器から出力されたコード表示の情報を受信して記憶し、ユーザ操作に応じ、前記記憶されたコード表示の情報を出力する他の電子機器。
【請求項８】
撮像部で撮像された映像の情報から、他の電子機器から出力されたコード表示を検出するステップと、
前記コード表示が検出された場合に、前記コード表示とは異なるコード表示の情報を生成し、出力するステップと、を備える電子機器の制御方法。
【請求項９】
撮像部で撮像された映像の情報から、他の電子機器から出力されたコード表示を検出するステップと、
前記コード表示が検出された場合に、前記コード表示とは異なるコード表示の情報を生成し、出力するステップと、を備え、電子機器を制御する電子機器の制御プログラム。
【発明の詳細な説明】
【技術分野】
【０００１】
本発明の実施形態は、電子機器、他の電子機器、電子機器の制御方法、電子機器の制御プログラムに関する。
【背景技術】
【０００２】
近年、パーソナルコンピュータ（ＰＣ）等の電子機器が普及し、セキュリティの向上が求められている。
【０００３】
例えば、ＰＣ等の電子機器においては、セキュリティを向上させるために、電子機器を他のユーザに対して、パスワード等でロックする方法が用いられている。
【０００４】
そして、例えば、ユーザが所定のパスワードを入力することで、この他のユーザに対するロックを解除する方法が用いられている。
【０００５】
また、例えば、さらに、複数のパスワードを用いたり、パスワードを複雑にしたりして、ロックを強化し、さらに、セキュリティを向上させることが行われている。
【０００６】
しかし、一般に、電子機器の使用において、複数のパスワードや、複雑なパスワードをユーザが管理することは煩雑であり、不便であることが問題になっていた。
【０００７】
このため、ユーザが感じる煩雑さを低減しつつ、高いセキュリティ性を備えた電子機器を提供することが望まれていた。
【先行技術文献】
【特許文献】
【０００８】
【特許文献１】特開２００８−２９３０８５号公報
【発明の概要】
【発明が解決しようとする課題】
【０００９】
電子機器の使用において、複数のパスワードや、複雑なパスワードをユーザが管理することは煩雑であり、不便であることが問題になっていた。
【００１０】
このため、ユーザが感じる煩雑さを低減しつつ、高いセキュリティ性を備えた電子機器を提供することが望まれていた。
【課題を解決するための手段】
【００１１】
実施形態の電子機器は、撮像部と、前記撮像部で撮像された映像の情報から、他の電子機器から出力されたコード表示を検出する検出部と、前記コード表示が検出された場合に、前記コード表示とは異なるコード表示の情報を生成し、出力する出力部と、を備える。
【図面の簡単な説明】
【００１２】
【図１】実施形態に係わる電子機器と他の電子機器の外観を示す図。
【図２】実施形態に係わる電子機器の構成を説明するブロック図。
【図３】実施形態に係わる電子機器の動作を説明するフローチャート。
【図４】実施形態に係わる電子機器の表示部に表示出力される、ユーザに対し、パスワード（ロック解除コード）入力を要求する表示を説明する図。
【発明を実施するための形態】
【００１３】
以下、図面を参照し、実施の形態を説明する。
【００１４】
図１は、実施形態に係わる電子機器と他の電子機器の外観を示す図である。
【００１５】
この実施形態において、電子機器（ＰＣ）１０１は、撮像部（カメラ）１０２を備えている。
【００１６】
また、撮像部（カメラ）１０２で撮像された映像の情報から、他の電子機器（スマートフォン）１０３から出力されたコード表示（ロック解除コード）１０４を検出する検出部を備えている。
【００１７】
ここで、この実施形態においては、コード表示の一例として、ＱＲコード（登録商標）等を用いるようにしても良い。
【００１８】
また、前記コード表示が検出された場合に、前記コード表示とは異なるコード表示の情報を生成し、出力する出力部を備えている。
【００１９】
そして、電子機器（ＰＣ）１０１と他の電子機器（スマートフォン）１０３は、例えば、無線通信や有線通信等によって通信を行うことが可能である。
【００２０】
そして、例えば、電子機器（ＰＣ）１０１が、他の電子機器（スマートフォン）１０３から出力されたコード表示（ロック解除コード）１０４を検出した場合に、前記コード表示１０４とは異なる新たなコード表示の情報を生成し、電子機器（ＰＣ）１０１から他の電子機器（スマートフォン）１０３に向けて、送信（出力）することが可能である。
【００２１】
すなわち、この実施形態において、電子機器（ＰＣ）１０１は、他の電子機器（スマートフォン）１０３から出力されたコード表示（ロック解除コード）１０４を検出し、このコード表示１０４を用いてパスワード認証と同等の認証（コード表示１０４の認証）を行う。
【００２２】
ここで、ＱＲコード（登録商標）の説明を行う。
【００２３】
ＱＲコード（登録商標）とは、デンソー社が開発したマトリックス型二次元コードである。この実施形態では、コード表示（ロック解除コード）１０４の一例として、ＱＲコード（登録商標）を用いているが、この実施形態においては、上記のように、他の電子機器（スマートフォン）１０３にコード（ロック解除コード）１０４が表示されれば良く、特にＱＲコード（登録商標）に限られるものではない。
【００２４】
また、ＱＲコード（登録商標）は、デンソーウェーブの登録商標である。
【００２５】
例えば、バーコードは横方向にしか情報を持たないのに対し、ＱＲコード（登録商標）は縦横に情報を持つ。そのため、格納できる情報量が多くなり、例えば、数字だけでなく英字や漢字など、多言語のデータも格納できる利点がある。
【００２６】
また、ＱＲコード（登録商標）のＱＲは、Ｑｕｉｃｋ Ｒｅｓｐｏｎｓｅに由来し、高速読み取りが可能である。当初は自動車部品工場や配送センターなどでの使用を念頭に開発されたが、現在ではスマートフォンの普及などにより世界的に普及している。
【００２７】
そして、この実施形態においては、このコード表示１０４の認証後に、電子機器（ＰＣ）１０１が、上記コード表示１０４とは異なる、新たなコード表示を生成し、他の電子機器（スマートフォン）１０３に向けて送信することでセキュリティ向上させることが可能である。
【００２８】
また、この実施形態においては、コード表示（ロック解除コード）１０４によるパスワード解除（コード表示認証およびパスワードロック解除）を有効にした電子機器（ＰＣ、または情報端末）１０１は、例えば、ユーザにパスワード入力を要求する際に、自動的に、撮像部（カメラ）１０２を起動し、コード表示（ロック解除コード）１０４の認証を行うようにしても良い。
【００２９】
また、この実施形態においては、コード表示（ロック解除コード）１０４のデータ送信において、例えば、近距離無線通信を使用することが可能である。
【００３０】
また、データ送信等の通信に失敗した場合は、例えば、コード表示（ロック解除コード）１０４を変更しないようにすることが可能である。
【００３１】
なお、ここでは、電子機器１０１の一例としてパーソナルコンピュータ（ＰＣ）を、他の電子機器の一例としてスマートフォンを用い、説明を行うが、電子機器１０１は、タブレットＰＣやスマートフォン、テレビ等で構成しても良い。また、他の電子機器は、タブレットＰＣや他の携帯端末等で構成しても良い。
【００３２】
図２は、実施形態に係わる電子機器の構成を説明するブロック図である。
【００３３】
図２に示すように、電子機器（ＰＣ）１０１は、例えば、ＣＰＵ（主演算装置）２０２、Ｎｏｒｔｈ  Ｂｒｉｄｇｅ２０３、Ｓｏｕｔｈ  Ｂｒｉｄｇｅ２０４、メモリ２０５、ＢＩＯＳ ＲＯＭ２０６、表示コントローラ２０７、ＥＣ２０８、ＳＡＴＡコントローラ２０９、ＣＭＯＳ２１０、ＫＢＣ(キーボードコントローラ) ２１１、ＨＤＤ(Ｈａｒｄ Ｄｉｓｋ Ｄｒｉｖｅ) ２１２、ＯＤＤ(Ｏｐｔｉｃａｌ Ｄｉｓｃ Ｄｒｉｖｅ) ２１３、Ｗｅｂカメラ２１４、表示装置２１５、ＫＢ（キーボード）２１６、電源スイッチ２２０を備えている。
【００３４】
そして、例えば、ＰＣ本体２０１内部に、ＣＰＵ（主演算装置）２０２、Ｎｏｒｔｈ  Ｂｒｉｄｇｅ２０３、Ｓｏｕｔｈ  Ｂｒｉｄｇｅ２０４、メモリ２０５、ＢＩＯＳ ＲＯＭ２０６、表示コントローラ２０７、ＥＣ２０８、ＳＡＴＡコントローラ２０９、ＣＭＯＳ２１０、ＫＢＣ(キーボードコントローラ) ２１１、ＨＤＤ(Ｈａｒｄ Ｄｉｓｋ Ｄｒｉｖｅ) ２１２、ＯＤＤ(Ｏｐｔｉｃａｌ Ｄｉｓｃ Ｄｒｉｖｅ) ２１３が構成され、ＰＣ本体２０１に、Ｗｅｂカメラ２１４、表示装置２１５、ＫＢ（キーボード）２１６、電源スイッチ２２０が接続される。
【００３５】
ここで、ＣＰＵ２０２は、例えば、主演算装置、Ｎｏｒｔｈ  Ｂｒｉｄｇｅ２０３は、主にメモリ、表示関連の制御を行うチップ、Ｓｏｕｔｈ  Ｂｒｉｄｇｅ２０４は、主にＰＣＩデバイス、ＬＰＣデバイス等の制御を行うチップである。
【００３６】
メモリ２０５は、ＢＩＯＳ、ＯＳ等のプログラムがここに展開され、動作する。
【００３７】
ＢＩＯＳ ＲＯＭ２０６には、ＰＣを制御し、この実施形態の処理を含むＢＩＯＳプログラムが格納されている。
【００３８】
また、表示コントローラ２０７には、表示装置２１５が接続される。ＥＣ２０８は、ＰＣの電源管理を行い、電源ＳＷ２２０が接続されている。
【００３９】
ＳＡＴＡコントローラ２０９は、ＵＳＢコントローラ等のＰＣＩデバイスであり、ＨＤＤ２１２、ＯＤＤ２１３、ＵＳＢデバイス（図示せず）等が接続される。
【００４０】
ＣＭＯＳ２１０は、電子機器（ＰＣ）１０１の起動時に必要な情報を格納している。ＫＢＣ(キーボードコントローラ) ２１１には、ＫＢ(キーボード)２１６が接続されている。
【００４１】
ＨＤＤ２１２には、Ｈａｒｄ Ｄｉｓｋ Ｄｒｉｖｅが接続されている。また、ＯＤＤ２１３には、Ｏｐｔｉｃａｌ Ｄｉｓｃ Ｄｒｉｖｅが接続されている。
【００４２】
また、電子機器（ＰＣ）１０１は、Ｗｅｂカメラ２１４、ＬＣＤ等の表示装置２１５、ＫＢ（キーボード）２１６、電源スイッチ２２０を備えている。
【００４３】
図３は、実施形態に係わる電子機器の動作を説明するフローチャートである。
【００４４】
ステップＳ３００は、ここでの開始ステップである。続いて、ステップＳ３０１に進む。
【００４５】
ステップＳ３０１は、電子機器（ＰＣ）１０１の電源をＯＮにするステップである。続いて、ステップＳ３０２に進む。
【００４６】
ステップＳ３０２は、ユーザに対する、パスワードの入力要求を表示するステップである（パスワード入力要求）。続いて、ステップＳ３０３に進む。
【００４７】
ステップＳ３０３は、コード表示（ロック解除コード表示）を用いたロック解除が設定済か否かを検出するステップである。コード表示（ロック解除コード表示）を用いたロック解除が設定済であると検出される場合は、ステップＳ３０４に進む（Ｙｅｓ）。コード表示（ロック解除コード表示）を用いたロック解除が設定済はないと検出される場合は、ステップＳ３１２に進む（Ｎｏ）。
【００４８】
ステップＳ３０４は、撮像部（Ｗｅｂカメラ）１０２を備えているかを検出するステップである。ここでは、撮像部（Ｗｅｂカメラ）１０２が接続されているかを検出するように構成しても良い。
【００４９】
そして、撮像部（Ｗｅｂカメラ）１０２を備えていると検出される場合は、ステップＳ３０５に進む（Ｙｅｓ）。撮像部（Ｗｅｂカメラ）１０２を備えていると検出されない場合は、ステップＳ３１２に進む（Ｎｏ）。
【００５０】
ステップＳ３０５は、撮像部（Ｗｅｂカメラ）１０２の電源ＯＮし、他の電子機器（スマートフォン）１０３から表示出力されたコードの表示（コード表示、ＱＲコード等）を含む映像を撮像するステップである。続いて、ステップＳ３０６に進む。
【００５１】
ステップＳ３０６は、撮像映像情報から、他の電子機器（スマートフォン）１０３から表示出力されたコード表示（ロック解除コード表示）を検出するステップである。続いて、ステップＳ３０７に進む。
【００５２】
ステップＳ３０７は、電子機器（ＰＣ）１０１が、他の電子機器（スマートフォン）１０３から表示出力されたコード表示（ロック解除コード表示）を検出するステップである。
【００５３】
電子機器（ＰＣ）１０１が、他の電子機器（スマートフォン）１０３から表示出力されたコード表示（ロック解除コード表示）を検出した場合は、ステップＳ３０８に進む（Ｙｅｓ）。電子機器（ＰＣ）１０１が、他の電子機器（スマートフォン）１０３から表示出力されたコード表示（ロック解除コード表示）を検出しない場合は、ステップＳ３１２に進む（Ｎｏ）。
【００５４】
ステップＳ３０８は、電子機器（ＰＣ）１０１が、上記検出したコード表示（ロック解除コード表示）とは異なる、新しいコード表示（ロック解除コード表示）情報を生成し、他の電子機器（スマートフォン）１０３に向けて送信出力するステップである。続いて、ステップＳ３０９に進む。
【００５５】
ステップＳ３０９は、上記生成されたコード表示（ロック解除コード表示）を他の電子機器（スマートフォン）１０３に送信できたかを検出するステップである。
【００５６】
上記生成されたコード表示（ロック解除コード表示）を送信できたと検出される場合は、ステップＳ３１０に進む（Ｙｅｓ）。上記生成されたコード表示（ロック解除コード表示）を送信できないと検出される場合は、ステップＳ３１１に進む（Ｎｏ）。
【００５７】
ステップＳ３１０は、電子機器（ＰＣ）１０１は、生成された新しいコード表示（ロック解除コード表示）情報を記憶部（例えば、メモリ２０５等）に記憶するステップである。続いて、ステップＳ３１１に進む。
【００５８】
ステップＳ３１１は、電子機器（ＰＣ）１０１がパスワードを解除し、例えば、表示部２１５に、パスワード解除メッセージを表示するステップである。続いて、ステップＳ３１６に進む。
【００５９】
ステップＳ３１２は、例えば、図４に示すように、ユーザに対し、パスワード入力を要求する表示を出力するステップである。
【００６０】
ここで、図４の説明を行う。
【００６１】
図４は、実施形態に係わる電子機器の表示部に表示出力される、ユーザに対し、パスワード（ロック解除コード）入力を要求する表示を説明する図である。
【００６２】
図４に示すように、電子機器（ＰＣ）１０１の表示部（ＬＣＤ）２１５に、例えば、「電子機器（ＰＣ）のロック解除には、ロック解除コード（パスワード）を入力してください。」と表示出力される。
【００６３】
続いて、ステップＳ３１３に進む。
【００６４】
ステップＳ３１３は、例えば、ユーザがパスワード入力を行った回数を検出し、リトライ回数が予め決めた値（例えば、３回）を超えなければ、リトライＯＫとし、予め決めた値を超える場合は、リトライＮＧと検出する。
【００６５】
そして、リトライＯＫの場合は、ステップＳ３１４に進む（Ｙｅｓ）。リトライＮＧの場合は、ステップＳ３１５に進む（Ｎｏ）。
【００６６】
ステップＳ３１４は、パスワードＯＫか、すなわち、ユーザが入力したパスワードがＯＫであるかを検出するステップである。ユーザが入力したパスワードがＯＫであると検出される場合は、ステップＳ３１１に進む（Ｙｅｓ）。ユーザが入力したパスワードがＯＫではないと検出される場合は、ステップＳ３１３に進み、上記処理を繰り返す（Ｎｏ）。
【００６７】
ステップＳ３１５は、例えば、表示装置２１５に、ＮＧメッセージを表示出力するステップである。続いて、ステップＳ３１６に進む。
【００６８】
ステップＳ３１６は、終了ステップであり、ここでの処理は終了する。
【００６９】
すなわち、この実施形態においては、例えば、電子機器（ＰＣ）１０１の電源がオンにされた場合に、ユーザに対するパスワード入力要求を出すように構成している。
【００７０】
そして、コード表示（ロック解除コード）１０４によるパスワード解除設定がされているかを検出する。
【００７１】
また、撮像部（Ｗｅｂカメラ）１０２を搭載しているかを検出する。
【００７２】
そして、撮像部（Ｗｅｂカメラ）１０２を搭載している場合は、撮像部（Ｗｅｂカメラ）１０２の電源をオンにし、コード表示（ロック解除コード）１０４の認証を行う。
【００７３】
また、ステップＳ３０３、ステップＳ３０４、ステップＳ３０７で“Ｎｏ”の場合は、従来パスワードの解除を行う。
【００７４】
そして、リトライ回数を検出し、リトライ回数が予め決められた値をオーバーしていなければ、パスワードの認証を行い、解除されたかを検出する。また、リトライ回数が予め決められた値をオーバーした場合は、ＮＧメッセージを表示して終了する。
【００７５】
また、コード表示（ロック解除コード）１０４による認証が完了した場合は、新しいコード表示（例えば、ＱＲコード（登録商標））を生成し、他の電子機器（スマートフォン）１０３に向けて、この生成されたコード表示（例えば、ＱＲコード（登録商標））を送信する。
【００７６】
そして、電子機器（ＰＣ）１０１は、新しいコード表示（例えば、ＱＲコード（登録商標））を送信できたかを検出する。電子機器（ＰＣ）１０１が新しいコード表示（例えば、ＱＲコード（登録商標））を送信できた場合は、この新しいコード表示（例えば、ＱＲコード（登録商標））を保存する。
【００７７】
そして、電子機器（ＰＣ）１０１のロック解除（パスワード解除）を行い、ロック解除（パスワード解除）メッセージを表示して終了する。
【００７８】
このように、この実施形態においては、例えば、コード表示（ロック解除コード）１０４によるパスワード認証（ロック解除）を用いることで、ユーザがパスワードを忘れたり、入力ミスをしたりすることを防止することが可能になる。
【００７９】
このため、高いセキュリティ性を保持しつつ、パスワードの管理・入力の利便性を向上させることが可能になる。
【００８０】
また、この実施形態においては、例えば、コード表示（ロック解除コード）１０４を、認証の都度、毎回、変えることで、万が一、コード表示（ロック解除コード）１０４のデータが流出しても、不用意にパスワードが解除されてしまうという危険性を低減することが可能になる。
【００８１】
また、この実施形態においては、例えば、コード表示（ロック解除コード）１０４を読取るだけでパスワード解除（ロック解除）をすることができるため、手間が少なくなり、ユーザの利便性を向上させることが可能になる。
【００８２】
すなわち、この実施形態の電子機器（ＰＣ）１０１は、撮像部（カメラ）１０２を備えている。
【００８３】
また、撮像部（カメラ）１０２で撮像された映像の情報から、他の電子機器（スマートフォン）１０３から出力されたコード表示（ロック解除コード）１０４を検出する検出部（例えば、ＣＰＵ２０２）を備えている。
【００８４】
また、前記コード表示が検出された場合に、前記コード表示とは異なるコード表示の情報を生成し、出力する出力部（例えば、ＣＰＵ２０２、Ｎｏｒｔｈ  Ｂｒｉｄｇｅ２０３等）を備えている。
【００８５】
また、この実施形態の電子機器（ＰＣ）１０１は、前記コード表示を用いた電子機器（ＰＣ）１０１のロック解除が設定されているかを検出し、前記ロック解除が設定されている場合に、前記コード表示の検出を行う（例えば、ＣＰＵ２０２）。
【００８６】
また、この実施形態の電子機器（ＰＣ）１０１は、ロック解除のための入力を要求する入力要求部（図４）と、
前記ロック解除が設定されている場合に、前記撮像部を動作させる動作部（ＣＰＵ２０２、Ｓｏｕｔｈ  Ｂｒｉｄｇｅ２０４等）と、を備える。
【００８７】
また、この実施形態の電子機器（ＰＣ）１０１は、前記生成されたコード表示の情報が前記他の電子機器（スマートフォン）１０３に送信された場合に、前記生成されたコード表示の情報を記憶する記憶部（メモリ２０５）と、を備える。
【００８８】
また、この実施形態の電子機器（ＰＣ）１０１は、前記コード表示が検出されない場合に、ユーザによるパスワード入力を要求するパスワード入力部（図４）と、を備える。
【００８９】
また、この実施形態の電子機器（ＰＣ）１０１は、ユーザによるパスワード入力のリトライができない場合に、ＮＧメッセージを出力するメッセージ出力部（図３）と、を備える。
【００９０】
また、この実施形態の他の電子機器（スマートフォン）１０３は、電子機器（ＰＣ）１０１から出力されたコード表示の情報を受信して記憶し、所定のユーザ操作に応じ、前記記憶されたコード表示の情報を出力する。
【００９１】
上記のように構成することによって、この実施形態においては、ユーザが感じる煩雑さを低減しつつ、高いセキュリティ性を備えた電子機器を提供することが可能になる。
【００９２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９３】
なお、上記実施形態は、記述そのものに限定されるものではなく、実施段階では、その趣旨を逸脱しない範囲で、構成要素を種々変形して具体化することが可能である。
【００９４】
また、上記実施形態に開示されている複数の構成要素の適宜な組み合せにより種々の発明を形成できる。
【００９５】
例えば、実施形態に示される全構成要素から幾つかの構成要素を削除してもよい。更に、異なる実施形態に亘る構成要素を適宜組み合せてもよい。
【符号の説明】
【００９６】
１０１…電子機器（ＰＣ）、１０２…撮像部（Ｗｅｂカメラ）、１０３…電子機器（スマートフォン）、１０４…コード表示。
【図１】
2014235716.tif 000003
【図２】
2014235716.tif 000004
【図３】
2014235716.tif 000005
【図４】
2014235716.tif 000006